(57)【要約】      （修正有）【課題】多種多様な実験器具に対して広範に対応することができる実験器具用ホルダーを提供する。【解決手段】実験器具用ホルダー１は、上面７が開口し底面に向けて径が縮小する角錐台状の容器２と、中央位置に穴部４を有し、前記容器２の前記上面または前記底面あるいは前記上面と前記底面の中間に形成されたスリット面と、前記スリット面の前記穴部４から放射状に形成された複数のスリット５と、を備える。ホルダー１の底面を下方に向けて設置すれば、実験器具をホルダー１の側面に立てかけて保持することができる。底面を上方に向けて設置すれば、実験器具を穴部４またはスリット５に挿入して保持することができる。【選択図】図１
0003202792.tif 000002
【実用新案登録請求の範囲】
【請求項１】
上面が開口し底面に向けて径が縮小する角錐台状の容器と、
中央位置に穴部を有し、前記容器の前記上面または前記底面あるいは前記上面と前記底面の中間に形成されたスリット面と、
前記スリット面の前記穴部から放射状に形成された複数のスリットと、
を備えることを特徴とする実験器具用ホルダー。
【請求項２】
前記容器が縮尺を変えた相似形状で複数個用意され、相対的にサイズ小の前記容器が相対的にサイズ大の前記容器に収容可能な請求項１に記載の実験器具用ホルダー。
【請求項３】
前記スリットが、前記容器の各角部に向けて膨張する形状に形成されている請求項１または２に記載の実験器具用ホルダー。
【請求項４】
前記容器の側面は四面で形成され、前記スリットは四つ形成されている請求項３に記載の実験器具用ホルダー。
【考案の詳細な説明】
【技術分野】
【０００１】
本考案は、遠心管、遠沈管、試験管、フラスコ、またはビーカ等の実験器具を保持するためのホルダーに関する。
【背景技術】
【０００２】
研究現場では、多様な実験が行われており、粉体や液体を量りとる場面が多い。そのときに使用される容器、すなわち実験器具も、実験目的に合わせて多種多様な取り揃えがある。これらの実験器具は、外径や全長が様々であり、軸方向で径が変わるものもあり、底面が丸いものや尖ったものも多い。このように目的別にバラエティに富んだ実験器具であるが、その中に試薬やサンプルを確実に投入できるよう、安定して保持する必要がある。例えば特許文献１は、フラスコを保持するのに好適なホルダーである。特許文献２は、試験管を保持するのに好適なホルダーである。
【先行技術文献】
【非特許文献】
【０００３】
【非特許文献１】意匠登録第１３９５２２７号公報
【非特許文献２】意匠登録第１４０５７８０号公報
【考案の概要】
【考案が解決しようとする課題】
【０００４】
しかし、特許文献１や特許文献２は、一種の実験器具に合わせた専用のホルダーであり、多種多様にある実験器具に対してそれぞれに専用のホルダーを揃えるのは、金銭的にも管理するにも無駄が多いといえる。
【０００５】
本考案は、前記従来技術の問題点に鑑みて為されたもので、多種多様な実験器具に対して広範に対応することができる実験器具用ホルダーを提供することにある。
【課題を解決するための手段】
【０００６】
上記課題を解決するために、本考案のある態様の実験器具用ホルダーは、上面が開口し底面に向けて径が縮小する角錐台状の容器と、中央位置に穴部を有し、前記容器の前記上面または前記底面あるいは前記上面と前記底面の中間に形成されたスリット面と、前記スリット面の前記穴部から放射状に形成された複数のスリットと、を備えることを特徴とする。
【０００７】
上記態様において、前記容器が縮尺を変えた相似形状で複数個用意され、相対的にサイズ小の前記容器が相対的にサイズ大の前記容器に収容可能とすることも好ましい。
【０００８】
上記態様において、前記スリットが、前記容器の各角部に向けて膨張する形状に形成されているのも好ましい。
【０００９】
上記態様において、前記容器の側面は四面で形成され、前記スリットは四つ形成されているのも好ましい。
【考案の効果】
【００１０】
本考案によれば、多種多様な実験器具に対して広範に対応することができる実験器具用ホルダーを提供することができる。
【図面の簡単な説明】
【００１１】
【図１】実施の形態に係る実験器具用ホルダーの上方斜視図である。
【図２】図１の平面図である。
【図３】図１の底面図である。
【図４】図１の正面図である。
【図５】図３の断面図である。
【図６】図１のホルダーの使用例を示す写真である。
【図７】図１のホルダーの使用例を示す写真である。
【図８】図１のホルダーの使用例を示す写真である。
【図９】図１の縮尺を変えたホルダーの使用例を示す写真である。
【図１０】ホルダーを複数個用意し、収納した使用例を示す写真である。
【図１１】図１の変形例１を示す図であり、（ａ）は変形例１の平面図、（ｂ）は（ａ）の断面図である。
【図１２】図１の変形例２を示す図であり、（ｃ）は変形例２の平面図、（ｄ）は（ｃ）の断面図である。
【考案を実施するための形態】
【００１２】
次に、本考案の好適な実施の形態について図面に基づき説明する。
【００１３】
図１〜図５における符号１が、実施の形態に係る実験器具用ホルダー（以下、単にホルダーと称する）である。ホルダー１は、上面７が開口し、底面３に向けて径が縮小する四角錐台状に形成された容器２と、容器２の底面３の中央に形成された穴部４と、穴部４から容器２の各角部に向けて放射状に延びる四つのスリット５を有する。本形態では、底面３がスリット面１０である。図２および図３において、穴部４およびスリット５は斜線で示されている。
【００１４】
ホルダー１は平面視で正方形であり、容器２の側面６Ａ，６Ｂ，６Ｃ，および６Ｄ（図３参照）は全て同面積である。スリット５は、穴部４から容器２の角部へ向かうにつれて半径方向の径が増加し、容器２の角部で丸みを持つ膨張部５０を有している（図３参照）。ホルダー１は、後述の理由から、シリコーン、ＮＢＲ、ＥＰＤＭ、ＮＲ、フッ素ゴム等の柔軟性ある素材で一体成形するのが好適である。
【００１５】
このホルダー１により、例えば図６〜図９に例示するように実験器具を保持することができる。
【００１６】
図６は、ホルダー１を利用して実験器具の一種であるフラスコを保持した例である。このように、ホルダー１の底面３を下方に向けて設置すれば、フラスコのような丸底で底部が膨張した形状の実験器具であっても、ホルダー１の側面に立てかけて保持することができる。このとき、ホルダー１の側面６Ａ，６Ｂ，６Ｃ，および６Ｄは底面３に向けて径が縮小する傾斜を有しているので、ホルダー１の側面のうち隣り合う二面（この例であれば側面６Ａと６Ｂ）とフラスコの側面が確実に接触し、底面３でフラスコの底部が固定されるので、実験器具は周方向に移動することなく、安定して保持される。
【００１７】
図７は、ホルダー１を利用して実験器具の一種である遠沈管を保持した例である。このように、底面３を上方に向けて設置すれば、遠沈管のような長さがあり底部が尖った形状の実験器具でも、穴部４に挿入して起立させて保持することができる。このとき、スリット５の弾性により、実験器具は安定して保持される上に、スリット５の柔軟性を利用して、実験器具の挿入位置（高さ）や実験器具の傾きを任意に調整することができる。
【００１８】
図８は、ホルダー１を利用して遠心管を複数保持した例である。このように、底面３を上方に向けて設置し、遠心管をスリット５の膨張部５０に挿入して、実験器具を複数保持することもできる。
【００１９】
また、ホルダー１は、相似形状のまま縮尺を変えれば、実験器具の容量の大小によるサイズの多様性に対応することができる。図９は、図８の遠心管のサイズに対応するため、図１のホルダー１の縮尺を小にして形成した例である。ホルダー１の縮尺を小にすれば、容量の小さい実験器具を保持するのに好適となり、縮尺を大にすれば容量の大きい実験器具を保持するのに好適となる。
【００２０】
また、図９に示すように、ホルダー１を相似形状のまま縮尺を変えて複数個用意した場合には、縮尺を好適に設計することにより、相対的にサイズ小のホルダー１を相対的にサイズ大のホルダー１に重ねて収容することができる。このため、ホルダー１を使用していない時の管理が容易となる。
【００２１】
以上のように、本形態のホルダー１は、形状がシンプルであり、多種多様な実験器具に対して汎用性があり、収納性も良い。
【００２２】
本形態のホルダー１は、例えば以下のような変形がなされるのも好適である。
【００２３】
図１の形態では、ホルダー１は平面視で正方形であり、容器２の側面６Ａ，６Ｂ，６Ｃ，および６Ｄは全て同面積であるが、ホルダー１は平面視で長方形、ひし形、平行四辺形であってもよいし、容器２の側面６Ａ，６Ｂ，６Ｃ，および６Ｄが異なる面積を有していてもよい。
【００２４】
図１の形態では、容器２の側面は四面であるが、三面，五面，六面，または八面等、角部を有する多角形となってもよい。角部を有する多角形であれば、隣り合う二つの側面で、実験器具を周方向に安定させて保持することができる。
【００２５】
図１の形態では、スリット５の数は四つであるが、二つ、三つ、五つ、または六つ等、複数としてもよい。スリット５が複数形成されることでスリット面１０に柔軟性が生じ、実験器具を多様に保持することができる。
【００２６】
または、図１１および図１２で例示する変形も好適である。以下のように、スリット面１０の形成位置は、上面７から底面３の間で移動させても、図１の形態と同等のホールド効果が得られる。
【００２７】
図１１は、図１の変形例１を示す図であり、（ａ）は変形例１の平面図、（ｂ）は（ａ）の断面図である。本形態では、ホルダー１の上面７がスリット面１０となっている。
【００２８】
図１２は、図１の変形例２を示す図であり、（ｃ）は変形例２の平面図、（ｄ）は（ｃ）の断面図である。本形態では、ホルダー１の上面７と底面３の中間にスリット面１０を形成している。
【００２９】
以上、本考案の好ましい実施の形態を述べたが、各形態および各変形例を当業者の知識に基づいて組み合わせることも可能であり、そのような形態は本考案の範囲に含まれる。
【符号の説明】
【００３０】
１  実験器具用ホルダー
２  容器
３  底面
４  穴部
５  スリット
５０  膨張部
６Ａ，６Ｂ，６Ｃ，６Ｄ  側面
７  上面
１０  スリット面
【図１】
0003202792.tif 000003
【図２】
0003202792.tif 000004
【図３】
0003202792.tif 000005
【図４】
0003202792.tif 000006
【図５】
0003202792.tif 000007
【図６】
0003202792.tif 000008
【図７】
0003202792.tif 000009
【図８】
0003202792.tif 000010
【図９】
0003202792.tif 000011
【図１０】
0003202792.tif 000012
【図１１】
0003202792.tif 000013
【図１２】
0003202792.tif 000014
【手続補正書】
【提出日】平成27年12月16日(2015.12.16)
【手続補正１】
【補正対象書類名】実用新案登録請求の範囲
【補正対象項目名】全文
【補正方法】変更
【補正の内容】
【実用新案登録請求の範囲】
【請求項１】
上面が開口し底面に向けて径が縮小する角錐台状の容器と、
中央位置に穴部を有し、前記容器の前記底面あるいは前記上面と前記底面の中間に形成されたスリット面と、
前記スリット面の前記穴部から放射状に形成された複数のスリットと、
を備えることを特徴とする実験器具用ホルダー。
【請求項２】
底面に向けて径が縮小する角錐台状の容器と、
中央位置に穴部を有し、前記容器の前記上面に形成された弾性のスリット面と、
前記スリット面の前記穴部から放射状に形成された複数のスリットと、
を備えることを特徴とする実験器具用ホルダー。
【請求項３】
前記容器が縮尺を変えた相似形状で複数個用意され、相対的にサイズ小の前記容器が相対的にサイズ大の前記容器に収容可能な請求項１または２に記載の実験器具用ホルダー。
【請求項４】
前記スリットが、前記容器の各角部に向けて膨張する形状に形成されている請求項１〜３のいずれかに記載の実験器具用ホルダー。
【請求項５】
前記容器の側面は四面で形成され、前記スリットは四つ形成されている請求項４に記載の実験器具用ホルダー。
【手続補正２】
【補正対象書類名】明細書
【補正対象項目名】０００６
【補正方法】変更
【補正の内容】
【０００６】
上記課題を解決するために、本考案のある態様の実験器具用ホルダーは、上面が開口し底面に向けて径が縮小する角錐台状の容器と、中央位置に穴部を有し、前記容器の前記底面あるいは前記上面と前記底面の中間に形成されたスリット面と、前記スリット面の前記穴部から放射状に形成された複数のスリットと、を備えることを特徴とする。本考案の他の態様の実験器具用ホルダーは、底面に向けて径が縮小する角錐台状の容器と、中央位置に穴部を有し、前記容器の前記上面に形成された弾性のスリット面と、前記スリット面の前記穴部から放射状に形成された複数のスリットと、を備えることを特徴とする。